(57)【要約】  【課題】  データの保護又はデータの処理効率の向上を使用状況に応じて適切に実行することができるデータ処理装置を提供する。  【解決手段】  データの処理と処理済みのデータの無効化とを行う画像処理装置（データ処理装置）１は、データの処理とデータの無効化とのいずれを優先するかを指示する優先指示を使用者の操作により受け付け、優先指示に従ってデータの処理とデータの無効化とのいずれを優先的に実行したかを使用履歴として記憶する。使用履歴が所定期間蓄積された後は、画像処理装置１は、使用履歴が示す画像データの無効化の優先回数が多い場合に画像データの無効化を優先する等、データの処理とデータの無効化とのいずれを優先するかを蓄積された使用履歴の内容に応じて設定する。【選択図】        図１
2005309775.tif 000002
【特許請求の範囲】
【請求項１】
データを受け付けるデータ受付手段と、該データ受付手段が受け付けたデータを記憶する記憶手段と、該記憶手段が記憶したデータの処理を行う処理手段と、前記記憶手段が記憶しているデータの無効化を行う無効化手段とを備えるデータ処理装置において、
使用履歴を記憶する履歴記憶手段と、
該履歴記憶手段が記憶する使用履歴の内容に応じて、未処理データの前記処理手段による処理と処理済みデータの前記無効化手段による無効化とのいずれを優先させるかを設定する設定手段と、
該設定手段による設定結果に従って、未処理データの処理又は処理済みデータの無効化のいずれかを優先的に実行する実行手段と
を備えることを特徴とするデータ処理装置。
【請求項２】
未処理データの処理又は処理済みデータの無効化のいずれかを優先させる優先指示を受け付ける手段を更に備え、
該手段が受け付けた前記優先指示に従って、前記実行手段は、未処理データの処理又は処理済みデータの無効化のいずれかを優先的に実行し、
前記履歴記憶手段は、前記優先指示に従って未処理データの処理又は処理済みデータの無効化のいずれが優先的に実行されたかを使用履歴として記憶すべくなしてあり、
前記設定手段は、前記使用履歴として記憶されている処理済みデータの無効化の優先回数と未処理データの処理の優先回数との比較結果に応じて、未処理データの処理又は処理済みデータの無効化のいずれを優先させるかを設定すべくなしてあること
を特徴とする請求項１に記載のデータ処理装置。
【請求項３】
前記設定手段は、前記使用履歴に含まれるデータの処理量に応じて、未処理データの処理又は処理済みデータの無効化のいずれを優先させるかを設定すべくなしてあることを特徴とする請求項１又は２に記載のデータ処理装置。
【請求項４】
複数種類に分類された使用者の識別情報を受け付ける識別情報受付手段を更に備え、
前記履歴記憶手段は、前記識別情報受付手段が受け付けた前記識別情報を使用履歴として記憶すべくなしてあり、
前記設定手段は、前記使用履歴として記憶されている前記識別情報の種類別の頻度に応じて、未処理データの処理又は処理済みデータの無効化のいずれを優先させるかを設定すべくなしてあること
を特徴とする請求項１乃至３のいずれかひとつに記載のデータ処理装置。
【請求項５】
使用者の識別情報を受け付ける識別情報受付手段を更に備え、
前記履歴記憶手段は、前記識別情報受付手段が受け付けた識別情報の夫々に対応付けて使用履歴を記憶すべくなしてあり、
前記設定手段は、前記識別情報受付手段が受け付けた識別情報の夫々に対応付けて前記履歴記憶手段が記憶している使用履歴に応じて、未処理データの処理又は処理済みデータの無効化のいずれを優先させるかを設定すべくなしてあること
を特徴とする請求項１乃至３のいずれかひとつに記載のデータ処理装置。
【請求項６】
前記設定手段は、過去の所定期間内に前記履歴記憶手段が記憶した使用履歴に応じて、未処理データの処理又は処理済みデータの無効化のいずれを優先させるかを設定すべくなしてあることを特徴とする請求項１乃至５のいずれかひとつに記載のデータ処理装置。
【請求項７】
前記設定手段により設定された設定結果の内容を出力する手段を更に備えることを特徴とする請求項１乃至６のいずれかひとつに記載のデータ処理装置。
【発明の詳細な説明】
【技術分野】
【０００１】
本発明は、データの保護又はデータの処理効率の向上を使用状況に応じて適切に実行することができるデータ処理装置に関する。
【背景技術】
【０００２】
原稿画像を走査して画像を複写する複写機能を備える画像処理装置は、近年では機能の複合化が進んでいる。ＬＡＮ等の通信ネットワークに接続され、パーソナルコンピュータ（ＰＣ）等の外部の装置から画像データを受信して画像を出力するネットワークプリンタの機能、及びファクシミリ通信を用いて外部のファクシミリ装置との間で画像データを送受信するファクシミリ機能など、複写機能に加えて複数の機能を備えた画像処理装置が実用化されている。このような画像処理装置は、処理すべき画像データを一時的に記憶するハードディスク又は半導体メモリ等の記憶手段を備えている。画像処理装置は、入力される画像データを順に記憶手段が記憶し、処理の順番が来た段階で記憶手段が記憶している画像データを処理することにより、大量の画像データを停滞させることなく効率よく処理することができる。
【０００３】
画像処理装置で処理された後の画像データは、記憶手段が新たな画像データを記憶するときに上書きされるまで記憶手段に記憶された状態になっている。原稿画像の複写又は画像の出力などの際に画像処理装置が処理する画像データには、個人情報又は企業秘密を記載した文書等の機密性を有する情報が含まれる場合がある。機密性を有する情報が含まれた画像データが画像処理装置の記憶手段に長時間記憶されている場合、記憶手段が記憶している画像データが不正に取り出されて情報が漏洩する危険性がある。そこで、記憶手段から画像データが不正に取り出されることを防止する技術が必要となる。特許文献１には、画像データの処理が完了した段階で、記憶手段が記憶している画像データを消去するか又は他のデータを上書きすることにより、画像データの取り出しを不可能にする技術が開示されている。このように消去又は上書きによって画像データを無効化することにより、画像データを不正使用から保護することができる画像処理装置が開発されている。
【特許文献１】特開平９−２８４５７２号公報
【発明の開示】
【発明が解決しようとする課題】
【０００４】
前述の如く消去又は上書きによって画像データを無効化する画像処理装置では、画像データを無効化するためには画像データのデータ量に比例した時間を要する。画像データを無効化している間はその他の画像データの処理が停滞するか又は不可能となるので、画像処理装置は、処理すべき画像データを連続的に受け付けている場合には画像データの処理能力が低下するという問題がある。
【０００５】
本発明は、斯かる事情に鑑みてなされたものであって、その目的とするところは、データの保護又はデータの処理効率の向上を使用状況に応じて適切に実行することができるデータ処理装置を提供することにある。
【課題を解決するための手段】
【０００６】
本発明に係るデータ処理装置は、データを受け付けるデータ受付手段と、該データ受付手段が受け付けたデータを記憶する記憶手段と、該記憶手段が記憶したデータの処理を行う処理手段と、前記記憶手段が記憶しているデータの無効化を行う無効化手段とを備えるデータ処理装置において、使用履歴を記憶する履歴記憶手段と、該履歴記憶手段が記憶する使用履歴の内容に応じて、未処理データの前記処理手段による処理と処理済みデータの前記無効化手段による無効化とのいずれを優先させるかを設定する設定手段と、該設定手段による設定結果に従って、未処理データの処理又は処理済みデータの無効化のいずれかを優先的に実行する実行手段とを備えることを特徴とする。
【０００７】
本発明においては、データの処理と処理済みのデータの無効化とを行うデータ処理装置は、使用履歴を記憶し、記憶している使用履歴の内容に応じて、データの処理とデータの無効化とのいずれを優先するかを設定する。
【０００８】
本発明に係るデータ処理装置は、未処理データの処理又は処理済みデータの無効化のいずれかを優先させる優先指示を受け付ける手段を更に備え、該手段が受け付けた前記優先指示に従って、前記実行手段は、未処理データの処理又は処理済みデータの無効化のいずれかを優先的に実行し、前記履歴記憶手段は、前記優先指示に従って未処理データの処理又は処理済みデータの無効化のいずれが優先的に実行されたかを使用履歴として記憶すべくなしてあり、前記設定手段は、前記使用履歴として記憶されている処理済みデータの無効化の優先回数と未処理データの処理の優先回数との比較結果に応じて、未処理データの処理又は処理済みデータの無効化のいずれを優先させるかを設定すべくなしてあることを特徴とする。
【０００９】
また本発明においては、データの処理とデータの無効化とのいずれを優先して行うべきかを指示する優先指示を受け付け、優先指示に従ってデータの処理とデータの無効化とのいずれを優先的に実行したかを使用履歴として記憶し、データの処理の優先回数とデータの無効化の優先回数との比較結果に応じて、データの処理とデータの無効化とのいずれを優先するかを設定する。
【００１０】
本発明に係るデータ処理装置は、前記設定手段は、前記使用履歴に含まれるデータの処理量に応じて、未処理データの処理又は処理済みデータの無効化のいずれを優先させるかを設定すべくなしてあることを特徴とする。
【００１１】
また本発明においては、使用履歴に含まれるデータ処理装置でのデータの処理量に応じて、データの処理とデータの無効化とのいずれを優先するかを設定する。例えばデータの処理量が多い場合は、効率良くデータの処理ができるようにデータの処理の優先を設定する。
【００１２】
本発明に係るデータ処理装置は、複数種類に分類された使用者の識別情報を受け付ける識別情報受付手段を更に備え、前記履歴記憶手段は、前記識別情報受付手段が受け付けた前記識別情報を使用履歴として記憶すべくなしてあり、前記設定手段は、前記使用履歴として記憶されている前記識別情報の種類別の頻度に応じて、未処理データの処理又は処理済みデータの無効化のいずれを優先させるかを設定すべくなしてあることを特徴とする。
【００１３】
また本発明においては、使用者を識別する識別情報を使用履歴として記憶し、役員が多く利用している場合はデータの無効化を優先する等、使用履歴に含まれる識別情報の種類別の頻度に応じて、データの処理とデータの無効化とのいずれを優先するかを設定する。
【００１４】
本発明に係るデータ処理装置は、使用者の識別情報を受け付ける識別情報受付手段を更に備え、前記履歴記憶手段は、前記識別情報受付手段が受け付けた識別情報の夫々に対応付けて使用履歴を記憶すべくなしてあり、前記設定手段は、前記識別情報受付手段が受け付けた識別情報の夫々に対応付けて前記履歴記憶手段が記憶している使用履歴に応じて、未処理データの処理又は処理済みデータの無効化のいずれを優先させるかを設定すべくなしてあることを特徴とする。
【００１５】
また本発明においては、使用者を識別する識別情報を受け付け、各識別情報に対応付けて使用履歴を記憶し、データの処理とデータの無効化とのいずれを優先するかを使用者別の使用履歴に応じて設定する。
【００１６】
本発明に係るデータ処理装置は、前記設定手段は、過去の所定期間内に前記履歴記憶手段が記憶した使用履歴に応じて、未処理データの処理又は処理済みデータの無効化のいずれを優先させるかを設定すべくなしてあることを特徴とする。
【００１７】
また本発明においては、データ処理装置の運用を開始してから１ヶ月等の過去の所定期間内に記憶された使用履歴に応じて、データの処理とデータの無効化とのいずれを優先するかを設定する。
【００１８】
本発明に係るデータ処理装置は、前記設定手段により設定された設定結果の内容を出力する手段を更に備えることを特徴とする。
【００１９】
更に本発明においては、データの処理とデータの無効化とのいずれを優先するかの設定結果を出力して使用者に確認させる。
【発明の効果】
【００２０】
本発明にあっては、データの処理と処理済みのデータの無効化とを行うデータ処理装置は、使用履歴を記憶し、データの処理とデータの無効化とのいずれを優先するかを使用履歴の内容に応じて設定することにより、データ処理装置は、使用環境に応じて適切な能力を発揮することができる。
【００２１】
また本発明にあっては、データの処理とデータの無効化とのいずれを優先的に実行したかを使用履歴として記憶し、使用履歴が示すデータの無効化の優先回数が多い場合にデータの無効化を優先する等、優先回数の比較結果に応じてデータの処理とデータの無効化とのいずれを優先するかを設定する。これにより、データ処理装置は、処理速度を重視して使用されているか又はセキュリティを重視して使用されているか、データ処理装置が使用される環境に応じて適切な能力を発揮することができる。
【００２２】
また本発明にあっては、使用履歴に含まれるデータの処理量に応じて、データの処理とデータの無効化とのいずれを優先するかを設定するので、データの処理量が多く処理が停滞することがある場合は処理速度を重視し、またデータの処理量が少なく画像データの無効化を優先しても処理が停滞することがない場合はセキュリティを重視する等、データの処理量に基づいて処理速度とセキュリティとのバランスをとることができる。
【００２３】
また本発明にあっては、使用履歴に含まれる使用者の識別情報の内容に応じて、データの処理とデータの無効化とのいずれを優先するかを設定するので、機密情報を扱う機会が多い使用者が多く利用している場合はデータの無効化を優先する等、データ処理装置は使用者の種類に応じて適切な能力を発揮することができる。
【００２４】
また本発明にあっては、使用者の識別情報に対応付けて使用者別に使用履歴を記憶し、使用者毎に画像データの処理と画像データの無効化とのいずれを優先するかを設定するので、個々の使用者がデータ処理装置を使用する環境に応じて、適切な使用方法を細かく調整することができる。
【００２５】
また本発明にあっては、過去の所定期間内に記憶された使用履歴に応じて、データの処理とデータの無効化とのいずれを優先するかを設定するので、データ処理装置は一般的な使用環境に応じて適切な能力を発揮することができる。
【００２６】
更に本発明においては、画像データの処理と画像データの無効化とのいずれを優先するかの設定結果を出力するので、使用者はデータ処理装置の使用環境を確認することができる等、本発明は優れた効果を奏する。
【発明を実施するための最良の形態】
【００２７】
以下本発明をその実施の形態を示す図面に基づき具体的に説明する。
図１は、本発明のデータ処理装置である画像処理装置の内部の機能構成を示す機能ブロック図である。画像処理装置１は、演算を行うＣＰＵ及び演算に伴う一時的な情報を記憶するＲＡＭ等からなる制御部１１を備えている。制御部１１には、画像処理装置１を制御するための制御プログラムを記憶しているＲＯＭ１７２、及び画像処理装置１が行う処理を管理するための管理情報を記憶するメモリである管理部１７１が接続されている。また制御部１１には、記録用紙に記録された画像を読み取って画像データを生成する画像読み取り部１４が接続されている。また制御部１１には、ファクシミリ通信を行うモデム部１５１が接続されており、モデム部１５１は公衆回線網Ｎ２に接続されている。画像処理装置１は、画像読み取り部１４が生成した画像データを、モデム部１５１に接続された公衆回線網Ｎ２を介して他のファクシミリ装置３へファクシミリ通信にて送信することができる。また、制御部１１には、画像データを一時的に記憶する画像メモリ１６２と、画像データから画像を形成して記録用紙に記録する画像形成部１６１とが接続されている。画像処理装置１は、他のファクシミリ装置から公衆回線網Ｎ２を介してファクシミリ通信で送信された画像データをモデム部１５１にて受信し、受信した画像データを画像メモリ１６２に記憶し、記憶した画像データから画像形成部１６１にて画像を形成する。このようにして、画像処理装置１は、ファクシミリ装置として機能する。また画像読み取り部１４で読み取った画像を画像形成部１６１で形成することによって、画像処理装置１は複写装置として機能する。
【００２８】
また、制御部１１には、通信ネットワークＮ１に接続された通信部１５２が接続されている。通信ネットワークＮ１にはパーソナルコンピュータ（ＰＣ）２，２，…が接続されており、通信部１５２は、ＰＣ２，２，…から通信ネットワークＮ１を介して画像データを受信し、画像形成部１６１は、受信した画像データから画像を形成する。このようにして、画像処理装置１は、プリンタ装置として機能する。
【００２９】
更に、制御部１１には、半導体メモリカード又は光磁気ディスク等の可搬型の記録媒体Ｍを装着させることができる装着部１８が接続されている。装着部１８は、記録媒体Ｍのリーダライタであり、記録媒体Ｍが記憶しているデータを読み出し、またデータを記録媒体Ｍへ書き込むことができる。画像処理装置１は、記録媒体Ｍからデータを読み出して画像形成部１６１、モデム部１５１又は通信部１５２から出力することが可能であり、更に画像読み取り部１４、モデム部１５１又は通信部１５２で受け付けたデータを記録媒体Ｍに書き込むことが可能である。このように、画像読み取り部１４、モデム部１５１、通信部１５２及び装着部１８は本発明に係るデータ受付手段として機能する。
【００３０】
また、制御部１１には、ハードディスク又は光ディスク等からなる記憶部（記憶手段）１９が接続されている。記憶部１９は、画像読み取り部１４が生成した画像データ、モデム部１５１又は通信部１５２が受信した画像データ、装着部１８が記録媒体Ｍから読み出したデータを記憶する。また、制御部１１には、使用者からの操作を受け付ける操作部１３が接続されており、操作部１３は、操作のために必要な情報を表示する液晶パネル等の表示手段と、使用者の操作により制御命令などの情報が入力されるタッチパネル又はテンキー等の入力手段とからなっている。
【００３１】
更に制御部１１には、使用者の存在を検出する使用者検出部（使用者検出手段）１２が接続されている。使用者は、使用者の識別情報を記憶しているメモリカードであるＩＤカードＣを携帯している。使用者検出部１２は、非接触でＩＤカードＣとの間で通信が可能に構成されており、ＩＤカードＣが記憶している使用者のＩＤ情報を読み出すことができる。また、使用者検出部１２とＩＤカードＣとの間の通信は通信距離が限定されており、使用者検出部１２とＩＤカードＣとの間の通信には使用者が画像処理装置１の近傍に存在していることが必要となる。従って、使用者検出部１２は、ＩＤカードＣとの通信が可能であるか否かに基づいて、使用者の存在を検出することができる。
【００３２】
ＲＯＭ１７２は、画像データの処理と同時に画像データを不正使用から保護する処理を行うための制御プログラムを記憶している。制御部１１は、ＲＯＭ１７２が記憶している制御プログラムに従って、処理が行われた後に記憶部１９に記憶されている処理済みの画像データを、無意味なデータを上書きすることによって無効化する処理を行う。画像データを無効化する処理を常に優先的に行う場合は、情報のセキュリティは向上するが画像データの処理効率は低下する。そこで、本発明の画像処理装置１は、自身の過去の使用履歴に基づいて画像データの処理と画像データの無効化とのいずれを優先的に行うかを設定する処理を行う。
【００３３】
管理部１７１は、画像処理装置１の動作を管理するための管理情報の外に、画像データの処理と画像データの無効化とのいずれを優先するかを示す優先情報１７ａと、画像処理装置１を使用できる使用者の識別情報を記録した使用者情報１７ｂと、画像処理装置１の使用履歴を記録する履歴情報１７ｃとを記憶している。優先情報１７ａは、画像データの処理と画像データの無効化とのいずれを優先するかを画像処理装置１が設定した結果を示している。使用者情報１７ｂは、使用者が携帯しているＩＤカードＣが記憶しているＩＤ情報、又は使用者が使用するＰＣ２のＩＰアドレス等、画像処理装置１の使用が可能な使用者を識別するための識別情報を記録している。更に使用者情報１７ｂは、使用者が扱うデータの重要度に応じた使用者のランクを示す情報を識別情報に関連付けて記録している。
【００３４】
図２は、履歴情報１７ｃの内容例を示す概念図である。画像データを処理した際の日時と、コピー又はプリンタ出力等の画像データの処理内容とに関連付けて、使用者を識別する識別情報と、識別情報に関連付けて使用者情報１７ｂに記録されている使用者ランクとが記録されている。使用者ランクは、使用者が画像処理装置１に重要度の高いデータを処理させる可能性が高いほどランクが高くなるように定められている。例えば機密情報を扱う機会が多い役員はＡ、機密情報を扱えないアルバイトはＣ等のように、使用者の役割に応じて使用者ランクが定められている。更に履歴情報１７ｃには、画像データを処理した際に画像データの処理と画像データの無効化とのいずれを優先して処理が行われたかを示す優先情報が記録されている。このようにして、管理部１７１は本発明に係る履歴記憶手段として機能する。
【００３５】
次に、本発明のデータ処理装置である画像処理装置１が行う処理の手順をフローチャートを用いて説明する。画像処理装置１は、設置された直後など運用の当初は、画像データの処理前に画像データの処理と画像データの無効化とのいずれを優先するかを指示する優先指示を使用者から受け付け、受け付けた優先指示に従って画像データの処理と画像データの無効化とのいずれを優先するかを設定する。画像処理装置１は、画像データを処理する都度、使用履歴を履歴情報１７ｃに記録する。運用が開始されてから１ヶ月など所定期間が経過して充分な使用履歴が蓄積された後は、画像処理装置１は、蓄積された使用履歴の内容に応じて、画像データの処理と画像データの無効化とのいずれを優先するかを設定する。
【００３６】
図３は、充分な使用履歴が蓄積される以前の段階で、画像処理装置１が画像データを受け付ける処理の手順を示すフローチャートである。画像処理装置１の制御部１１は、ＲＯＭ１７２が記憶する制御プログラムに従って以下の処理を実行する。
【００３７】
画像処理装置１の制御部１１は、画像処理装置１の近傍にいる使用者が携帯しているＩＤカードＣと使用者検出部１２とが通信することによる、ＩＤカードＣが記憶しているＩＤ情報の使用者検出部１２での受信を監視している（Ｓ１１）。使用者検出部１２がＩＤ情報を受信した場合は（Ｓ１１：ＹＥＳ）、制御部１１は、使用者が操作部１３を操作することによる、画像データの処理指示の受付を監視する（Ｓ１２）。このとき、画像読み取り部１４で画像を読み取るか又は装着部１８で記録媒体Ｍが記憶している画像データを読み出すか等の画像データの受付に係る指示と、画像を複写するか、ファクシミリ通信にて他のファクシミリ装置３へ画像データを送信するか、記録媒体Ｍへ画像データを書き込むか又はＰＣ２へ画像データを送信するか等の画像処理に係る指示とを処理指示として受け付ける。画像データの処理指示を受け付けた場合は（Ｓ１２：ＹＥＳ）、制御部１１は、操作部１３のタッチパネル等の表示手段に、画像データの処理と画像データの無効化とのいずれを優先するかを指示する優先指示を受け付けるための受付画面を出力する（Ｓ１３）。
【００３８】
図４は、優先指示の受付画面の例を示す模式図である。画像データの処理を優先する処理速度優先と画像データの無効化を優先するセキュリティ優先とのいずれかを選択できるように、受付画面に夫々の選択ボタンが表示されている。使用者の操作によっていずれかが指定されてＯＫが指定されることにより、画像データの処理と画像データの無効化とのいずれを優先するかを示す優先指示を操作部１３が受け付ける。
【００３９】
ステップＳ１１で使用者検出部１２でのＩＤ情報の受信がない場合（Ｓ１１：ＮＯ）、又はステップＳ１２で画像データの処理指示の受付がなかった場合は（Ｓ１２：ＮＯ）、制御部１１は、使用者が操作するＰＣ２から送信された画像データの処理指示の通信部１５２での受信を監視する（Ｓ１４）。このとき、画像を出力するか、ファクシミリ通信にて他のファクシミリ装置３へ画像データを送信するか、又は記録媒体Ｍへ画像データを書き込むか等の処理指示を受信する。処理指示の受信がない場合は（Ｓ１４：ＮＯ）、制御部１１は、処理をステップＳ１１へ戻す。通信部１５２が画像データの処理指示を受信した場合は（Ｓ１４：ＹＥＳ）、制御部１１は、使用者を識別するための識別情報として、処理指示の送信元であるＰＣ２を示すＩＰアドレス等の情報を読み込む（Ｓ１５）。制御部１１は、次に、画像データの送信元のＰＣ２に対して、画像データの処理と画像データの無効化とのいずれを優先するかを示す優先指示の要求を通信部１５２に送信させる（Ｓ１６）。ＰＣ２は、図４に示す如き優先指示の受付画面を出力し、使用者の操作により優先指示を受け付け、受け付けた送信指示を画像処理装置１へ送信する。
【００４０】
ステップＳ１３又はステップＳ１６が終了した後は、制御部１１は、使用者の操作により優先指示を操作部１３で受け付けるか、又は優先指示を通信部１５２で受信することによる、優先指示の受付を監視する（Ｓ１７）。優先指示の受け付けがない場合は（Ｓ１７：ＮＯ）、制御部１１は、優先指示の受付の監視を続行する。優先指示を受け付けた場合は（Ｓ１７：ＹＥＳ）、画像読み取り部１４で原稿画像を読み取るか、装着部１８で記録媒体Ｍから画像データを読み取るか、又は通信部１５２で画像データを受信することにより、画像データを受け付ける（Ｓ１８）。制御部１１は、次に、以上の処理で受け付けた、優先指示を含む画像データの処理指示、識別情報及び処理対象の画像データを記憶部１９に記憶させ（Ｓ１９）、処理を終了する。画像データを受け付ける処理が終了した後は、制御部１１は、ステップＳ１１の処理を開始する。
【００４１】
画像処理装置１は、画像データを受け付ける処理と並行して、記憶部１９が記憶している画像データの処理を行う。図５は、画像処理装置１が行う画像データ処理の手順を示すフローチャートである。画像処理装置１の制御部１１は、ＲＯＭ１７２が記憶する制御プログラムに従って以下の処理を実行する。
【００４２】
制御部１１は、画像データの処理指示及び識別情報と共に未処理の画像データが記憶部１９に記憶されているか否かを判定する（Ｓ２０１）。未処理の画像データが記憶部１９に記憶されている場合は（Ｓ２０１：ＹＥＳ）、制御部１１は、画像データの処理指示に含まれる優先指示が画像データの無効化の優先を指示しているか否かを判定する（Ｓ２０２）。優先指示が画像データの無効化の優先を指示している場合は（Ｓ２０２：ＹＥＳ）、制御部１１は、記憶部１９が記憶する画像データから画像形成部１６１に画像を形成させるか、画像データを他のファクシミリ装置３へモデム部１５１に送信させるか、装着部１８に画像データを記録媒体Ｍへ書き込ませるか、又は画像データをＰＣ２へ通信部１５２に送信させる等の画像データの処理を行う（Ｓ２０３）。ステップＳ２０３での画像データの処理が終了した後は、記憶部１９が記憶している処理済みの画像データに対して無意味なデータを上書きすることにより画像データを無効化する（Ｓ２０４）。なお、このとき画像データを記憶部１９から消去することで画像データを無効化する処理を行ってもよい。制御部１１は、次に、画像データの処理日時及び優先情報などを含む図２に示す如き使用履歴を履歴情報１７ｃに記録し（Ｓ２０５）、処理をステップＳ２０１へ戻す。
【００４３】
ステップＳ２０２で画像データの処理指示に含まれる優先指示が画像データの処理の優先を指示している場合は（Ｓ２０２：ＮＯ）、制御部１１は、画像データの処理を行い（Ｓ２０６）、画像データの無効化を行わずに、使用履歴を履歴情報１７ｃに記録し（Ｓ２０７）、処理をステップＳ２０１へ戻す。
【００４４】
ステップＳ２０１で未処理の画像データが記憶部１９に記憶されていない場合は（Ｓ２０１：ＮＯ）、制御部１１は、使用者検出部１２がＩＤカードＣから使用者のＩＤ情報を受信可能であるか否かを判定する（Ｓ２０８）。使用者検出部１２がＩＤ情報を受信可能である場合は（Ｓ２０８：ＹＥＳ）、制御部１１は、処理をステップＳ２０１へ戻す。使用者検出部１２がＩＤ情報を受信できない場合は（Ｓ２０８：ＮＯ）、使用者が画像処理装置１の近傍にいない場合であり、制御部１１は、処理済みの画像データが記憶部１９に記憶されているか否かを判定する（Ｓ２０９）。処理済みの画像データが記憶部１９に記憶されていない場合は（Ｓ２０９：ＮＯ）、制御部１１は、処理をステップＳ２０１へ戻す。処理済みの画像データが記憶部１９に記憶されている場合は（Ｓ２０９：ＹＥＳ）、制御部１１は、記憶部１９が記憶している処理済みの画像データの無効化を行い（Ｓ２１０）、処理を終了する。画像データの処理が終了した後は、制御部１１は、ステップＳ２０１の処理を開始する。
【００４５】
画像処理装置１は、運用が開始されてから１ヶ月など所定期間が経過して充分な使用履歴が蓄積された場合に、蓄積された使用履歴の内容に応じて、画像データの処理と画像データの無効化とのいずれを優先するかを設定する。図６は、画像データの処理と画像データの無効化とのいずれを優先するかを設定するために画像処理装置１が行う処理の手順を示すフローチャートである。画像処理装置１の制御部１１は、ＲＯＭ１７２が記憶する制御プログラムに従って以下の処理を実行する。
【００４６】
制御部１１は、使用履歴が蓄積され始めてから所定期間が経過した場合に、管理部１７１が記憶する履歴情報１７ｃに含まれる使用者ランクを集計し（Ｓ３１）、使用者ランクが示すランクの高い使用者の占める割合が所定の割合よりも多いか否かを判定する（Ｓ３２）。ランクの高い使用者の占める割合が所定の割合よりも多い場合は（Ｓ３２：ＹＥＳ）、機密情報を含む画像データが処理される可能性が高いので、制御部１１は、セキュリティを向上させるために、画像データの無効化の優先を示す優先情報１７ａを管理部１７１に記憶させ（Ｓ３８）、処理を終了する。
【００４７】
ステップＳ３２でランクの高い使用者の占める割合が所定の割合以下であった場合は（Ｓ３２：ＮＯ）、制御部１１は、履歴情報１７ｃに含まれる、画像データの無効化が優先された件数と画像データの処理が優先された件数とを集計する（Ｓ３３）。制御部１１は、次に、履歴情報１７ｃに含まれる全体の件数の中で画像データの無効化が優先された件数が示す割合が所定の割合よりも多いか否かを判定する（Ｓ３４）。画像データの無効化が優先された件数が示す割合が所定の割合よりも多い場合は（Ｓ３４：ＹＥＳ）、制御部１１は、画像データの無効化の優先を示す優先情報１７ａを管理部１７１に記憶させ（Ｓ３８）、処理を終了する。
【００４８】
ステップＳ３４で画像データの無効化が優先された件数が示す割合が所定の割合以下である場合は（Ｓ３４：ＮＯ）、制御部１１は、履歴情報１７ｃに含まれる使用履歴の件数を集計し（Ｓ３５）、集計した件数が所定の件数よりも多いか否かを判定する（Ｓ３６）。集計した件数が所定の件数よりも多い場合は（Ｓ３６：ＹＥＳ）、効率良く画像データの処理を行うことができるように、制御部１１は、画像データの処理の優先を示す優先情報１７ａを管理部１７１に記憶させ（Ｓ３７）、処理を終了する。なお、ステップＳ３５では単位時間当たりに受け付けた処理指示の件数を計算し、ステップＳ３６では単位時間当たりの処理件数に応じて画像データの処理と画像データの無効化とのいずれを優先するかを設定する処理を行ってもよい。集計した件数が所定の件数以下である場合は（Ｓ３６：ＮＯ）、画像データの無効化の優先を示す優先情報１７ａを管理部１７１に記憶させ（Ｓ３８）、処理を終了する。なお、画像データの処理と画像データの無効化とのいずれを優先するかを設定する処理は、画像処理装置１の運用が開始されてから所定期間が経過した後に一度のみ行ってもよく、また、最近の所定期間の試用履歴を利用して１月毎など定期的に行ってもよい。
【００４９】
画像データの処理と画像データの無効化とのいずれを優先するかが設定された後は、画像処理装置１は、設定結果に従って処理を行う。図７は、画像データの処理と画像データの無効化とのいずれを優先するかが設定された以降に画像処理装置１が行う処理の手順を示すフローチャートである。画像処理装置１の制御部１１は、ＲＯＭ１７２が記憶する制御プログラムに従って以下の処理を実行する。
【００５０】
画像処理装置１の制御部１１は、画像処理装置１の近傍にいる使用者が携帯しているＩＤカードＣと使用者検出部１２とが通信することによる、ＩＤカードＣが記憶しているＩＤ情報の使用者検出部１２での受信を監視している（Ｓ４０１）。使用者検出部１２がＩＤ情報を受信した場合は（Ｓ４０１：ＹＥＳ）、制御部１１は、使用者が操作部１３を操作することによる、画像データの処理指示の受付を監視する（Ｓ４０２）。画像データの処理指示を受け付けた場合は（Ｓ４０２：ＹＥＳ）、制御部１１は、使用者が操作部１３を操作することによる、画像データの処理と画像データの無効化とのいずれを優先するかを指示する優先指示の受付画面の要求の受付を監視する（Ｓ４０３）。
【００５１】
ステップＳ４０１で使用者検出部１２でのＩＤ情報の受信がない場合（Ｓ４０１：ＮＯ）、又はステップＳ４０２で画像データの処理指示の受付がなかった場合は（Ｓ４０２：ＮＯ）、制御部１１は、使用者が操作するＰＣ２から送信された画像データの処理指示の通信部１５２での受信を監視する（Ｓ４０４）。画像データの処理指示の受信がない場合は（Ｓ４０４：ＮＯ）、制御部１１は、処理をステップＳ４０１へ戻す。通信部１５２が画像データの処理指示を受信した場合は（Ｓ４０４：ＹＥＳ）、制御部１１は、使用者を識別するための識別情報として、処理指示の送信元であるＰＣ２を示すＩＰアドレス等の情報を読み込む（Ｓ４０５）。制御部１１は、次に、ＰＣ２から送信された、画像データの処理と画像データの無効化とのいずれを優先するかを示す優先指示の通信部１５２での受信を監視する（Ｓ４０６）。
【００５２】
ステップＳ４０３で優先指示の受付画面の要求の受付がない場合（Ｓ４０３：ＮＯ）、又はステップＳ４０６で優先指示の受信がない場合は（Ｓ４０６：ＮＯ）、制御部１１は、画像読み取り部１４で原稿画像を読み取るか、装着部１８で記録媒体Ｍから画像データを読み取るか、又は通信部１５２で画像データを受信することにより、画像データを受け付ける（Ｓ４０７）。制御部１１は、次に、管理部１７１が記憶している優先情報１７ａを読み出し（Ｓ４０８）、操作部１３の表示手段に表示させるか又は通信部１５２からＰＣ２へ送信することにより、画像データの処理と画像データの無効化とのいずれを優先するかを示す優先情報１７ａの内容を出力する（Ｓ４０９）。制御部１１は、次に、優先情報１７ａの内容に対応して画像データの処理と画像データの無効化とのいずれを優先するかを指示する優先指示を含む画像データの処理指示、識別情報及び処理対象の画像データを記憶部１９に記憶させ（Ｓ４１０）、処理を終了する。画像データを受け付ける処理が終了した後は、制御部１１は、ステップＳ４０１の処理を開始する。
【００５３】
ステップＳ４０３で優先指示の受付画面の要求を受け付けた場合（Ｓ４０３：ＹＥＳ）は、制御部１１は、操作部１３のタッチパネル等の表示手段に、図４に示す如き優先指示の受付画面を出力し（Ｓ４１１）、使用者の操作による優先指示の操作部１３での受付を監視する（Ｓ４１２）。優先指示の受け付けがない場合は（Ｓ４１２：ＮＯ）、制御部１１は、優先指示の受付の監視を続行する。
【００５４】
ステップＳ４１２で優先指示を受け付けた場合（Ｓ４１２：ＹＥＳ）、又はステップＳ４０６で優先指示を受信した場合は（Ｓ４０６：ＹＥＳ）、制御部１１は、画像読み取り部１４で原稿画像を読み取るか、装着部１８で記録媒体Ｍから画像データを読み取るか、又は通信部１５２で画像データを受信することにより、画像データを受け付ける（Ｓ４１３）。制御部１１は、次に、受け付けた優先指示を含む画像データの処理指示、識別情報及び処理対象の画像データを記憶部１９に記憶させ（Ｓ４１０）、処理を終了する。画像データを受け付ける処理が終了した後は、制御部１１は、ステップＳ４０１の処理を開始する。
【００５５】
画像データを受け付ける処理と並行して画像処理装置１が行う画像データ処理の手順は、図５で示した手順と同様である。以上の処理では、画像データの処理と画像データの無効化とのいずれを優先するかを予め設定して優先情報１７ａを記憶しておく処理を用いたが、画像データを受け付ける都度、使用履歴に応じて画像データの処理と画像データの無効化とのいずれを優先するかを設定する処理を行ってもよい。この場合は、画像処理装置１は、画像データを受け付けた場合に、図６で示した処理と図７で示した処理とを組み合わせた処理を行うこととなる。
【００５６】
以上詳述した如く、本発明においては、画像データの処理と処理済みの画像データの無効化とを行う画像処理装置１は、画像データを処理する際に、使用履歴を記憶し、画像データの処理と画像データの無効化とのいずれを優先するかを使用履歴の内容に応じて設定する。画像データの処理と画像データの無効化とのいずれを優先するかを指示する優先指示を受け付け、画像データの処理と画像データの無効化とのいずれを優先的に実行したかを使用履歴として記憶し、使用履歴が示す画像データの無効化の優先回数が多い場合に画像データの無効化を優先する等、優先回数の比較結果に応じて画像データの処理と画像データの無効化とのいずれを優先するかを設定する。これにより、画像処理装置１は、処理速度を重視して使用されているか又はセキュリティを重視して使用されているか、画像処理装置１が使用される環境に応じて適切な能力を発揮することができる。
【００５７】
また本発明においては、使用履歴に含まれる画像データの処理量に応じて、画像データの処理と画像データの無効化とのいずれを優先するかを設定するので、画像データの処理量が多く処理が停滞することがある場合は処理速度を重視し、また画像データの処理量が少なく画像データの無効化を優先しても処理が停滞することがない場合はセキュリティを重視する等、データの処理量に基づいて処理速度とセキュリティとのバランスをとることができる。
【００５８】
また本発明においては、使用履歴に含まれる使用者の識別情報の内容に応じて、画像データの処理と画像データの無効化とのいずれを優先するかを設定するので、機密情報を扱う機会が多い役員が多く利用している場合はデータの無効化を優先する等、画像処理装置１は使用者の種類に応じて適切な能力を発揮することができる。
【００５９】
また本発明においては、画像処理装置１の運用を開始してから１ヶ月等の過去の所定期間内に記憶された使用履歴に応じて、画像データの処理と画像データの無効化とのいずれを優先するかを設定するので、画像処理装置１は一般的な使用環境に応じて適切な能力を発揮することができる。
【００６０】
更に本発明においては、画像データの処理と画像データの無効化とのいずれを優先するかの設定結果を出力するので、使用者は画像処理装置１の使用環境を確認することができる。なお本実施の形態においては、画像処理装置１は、操作部１３の表示手段に設定結果を出力する形態を示しているが、管理者に対して設定結果を通信部１５２から電子メールで送信する形態であってもよい。
【００６１】
なお、本実施の形態においては、画像データの処理と画像データの無効化とのいずれを優先するかの設定は、全ての使用者に対して同じ設定結果を適用する形態を示しているが、これに限るものではなく、使用者を識別する識別情報に対応付けて使用者別に使用履歴を記録し、使用者毎に画像データの処理と画像データの無効化とのいずれを優先するかを設定する処理を行う形態であってもよい。この場合は、個々の使用者が画像処理装置１を使用する環境に応じて、適切な使用方法を細かく調整することができる。
【００６２】
また、本実施の形態においては、画像処理装置１は、ファクシミリ装置及びプリンタ装置などの複数の機能を備えた複合機であるとしたが、これに限るものではなく、ファクシミリ装置、複写装置、及びプリンタ装置などの単体の機能を有する装置であってもよい。また本実施の形態においては、本発明のデータ処理装置として画像処理装置１を示したが、これに限るものではなく、テキストデータ等の画像データ以外のデータを処理する形態であってもよい。
【図面の簡単な説明】
【００６３】
【図１】本発明のデータ処理装置である画像処理装置の内部の機能構成を示す機能ブロック図である。
【図２】履歴情報の内容例を示す概念図である。
【図３】充分な使用履歴が蓄積される以前の段階で、画像処理装置１が画像データを受け付ける処理の手順を示すフローチャートである。
【図４】優先指示の受付画面の例を示す模式図である。
【図５】画像処理装置が行う画像データ処理の手順を示すフローチャートである。
【図６】画像データの処理と画像データの無効化とのいずれを優先するかを設定するために画像処理装置が行う処理の手順を示すフローチャートである。
【図７】画像データの処理と画像データの無効化とのいずれを優先するかが設定された以降に画像処理装置が行う処理の手順を示すフローチャートである。
【符号の説明】
【００６４】
１  画像処理装置（データ処理装置）
１１  制御部
１２  使用者検出部（使用者検出手段）
１４  画像読み取り部（データ受付手段）
１５１  モデム部（データ受付手段）
１５２  通信部（データ受付手段）
１７１  管理部（履歴記憶手段）
１８  装着部（データ受付手段）
１９  記憶部（記憶手段）
２  ＰＣ
Ｎ１  通信ネットワーク
【図１】
2005309775.tif 000003
【図２】
2005309775.tif 000004
【図３】
2005309775.tif 000005
【図４】
2005309775.tif 000006
【図５】
2005309775.tif 000007
【図６】
2005309775.tif 000008
【図７】
2005309775.tif 000009